(57)【要約】【課題】グローブの継ぎ目が目立ちにくく外観の美観を向上させることができる、組立て作業も容易な電球形蛍光ランプおよびその製造方法を提供する。【解決手段】口金が配設される一端の反対側の取付端部３ｂ、凸状段部３ｃ、係合孔３ｄを有するカバー３と；アンダグローブ６Ｘ２とトップグローブ６Ｘ１に分割されるように軸直交方向に分割され、アンダグローブに係合部６ｂ２を形成した樹脂製のグローブ６と；グローブ内に収容される螺旋形部および直状部を備えた発光管４と；カバー内に収容される点灯装置と；カバー内に収容され、点灯装置と発光管をそれぞれ支持する支持部、アンダグローブ６Ｘ２の縮径開口端部に嵌合されたときにアンダグローブの縮径開口端６ｄを支持する下突部５ｈ、アンダグローブ６ｂの係合部６ｂ２に係合する上突部５ｇ、カバー３の凸状段部３ｃに係止してカバー３の係合孔３ｄに嵌合して取付位置を位置決めすると共に、軸方向の変位を規制するグローブ用係合部５ｆを有する弾性変形可能のホルダ５と；を具備している。【選択図】  図２
2008210798.tif 000002
【特許請求の範囲】
【請求項１】
一端側に口金が配設され、他端側に取付端部および係止部を有するカバーと；
カバーの取付端部に取り付けられる開口端部側に、その他端の頂端部側の最大径部よりも縮径した縮径部が形成され、少なくとも縮径部側と頂端部側の２部分以上に分割されるように軸直交方向に沿って分割され、この縮径部側のグローブに係合部が形成された樹脂製のグローブと；
グローブ内に収容される一対の電極を有するバルブを備え、このバルブは、グローブの最大径部を含む頂端部側に位置してグローブの縮径部よりも径大な膨出部を少なくとも一部に有し、膨出部に連成されグローブの縮径部側に配設された一対の電極封止端部を備えた発光管と；
カバー内に収容される点灯装置と；
カバー内に収容され、点灯装置と発光管をそれぞれ支持する支持部、グローブ開口端部に嵌合されたときに、その係合部に係合してこの縮径部側のグローブの取付位置を位置決めすると共に、軸方向の変位を規制するグローブ用係合部、カバーの係止部に係止されるカバー用係止部を有するホルダと；
を具備していることを特徴とする電球形蛍光ランプ。
【請求項２】
ホルダは、グローブ用係合部またはカバー用係止部を一対のスリット間に設けられた舌片によって形成していることを特徴とする請求項１記載の電球形蛍光ランプ。
【請求項３】
請求項１または２記載の電球形蛍光ランプと；
電球形蛍光ランプが取り付けられる器具本体と；
を具備していることを特徴する照明装置。
【請求項４】
一端側に口金が配設され、他端側に取付端部および係止部を有するカバーと；
カバーの取付端部に取り付けられる開口端部側に、その他端の頂端部側の最大径部よりも縮径した縮径部が形成され、少なくとも縮径部側と頂端部側の２部分以上に分割されるように軸直交方向に沿って分割され、この縮径部側のグローブに係合部が形成された樹脂製のグローブと；
グローブ内に収容される一対の電極を有するバルブを備え、このバルブは、グローブの最大径部を含む頂端部側に位置してグローブの縮径部よりも径大な膨出部を少なくとも一部に有し、膨出部に連成されグローブの縮径部側に配設された一対の電極封止端部を備えた発光管と；
カバー内に収容される点灯装置と；
カバー内に収容され、点灯装置と発光管をそれぞれ支持する支持部、グローブ開口端部に嵌合されたときに、その係合部に係合してこの縮径部側のグローブの取付位置を位置決めすると共に、軸方向の変位を規制するグローブ用係合部、カバーの係止部に係止されるカバー用係止部を有するホルダと；
を具備している電球形蛍光ランプの製造方法であって、
ホルダの発光管支持部に、発光管の一対の電極封止端を取り付けてホルダに発光管を取り付ける第１の工程と；
次に、ホルダに、縮径部側のグローブの縮径開口端部を外嵌してホルダのグローブ用係合部に係合させて固定する第２の工程と；
この後、グローブの縮径開口端部に、カバーを外嵌し、カバーの係止部にホルダのカバー用係止部を係止させて固定する第３の工程と；
次に、縮径部側グローブの縮径開口端部と反対側の頂端部側開口端部に、頂端部側グローブの開口端部を同心状に一体に固着する第４の工程と；
ホルダの点灯装置支持部に点灯装置を取り付ける工程と；
カバーに口金を取り付ける工程と；
を具備していることを特徴とする電球形蛍光ランプの製造方法。
【請求項５】
グローブの縮径部側と頂端部側の開口端同士の接合部を、超音波溶着により固着したことを特徴とする請求項４または５記載の電球形蛍光ランプの製造方法。
【発明の詳細な説明】
【技術分野】
【０００１】
本発明は、電球形蛍光ランプ、この電球形蛍光ランプを具備した照明装置および電球形蛍光ランプの製造方法に関する。
【背景技術】
【０００２】
従来、この種の電球形蛍光ランプは、ＪＩＳに定義されている一般照明用電球に近い寸法に小形化されており、一般照明用電球に近似した外観を有している。
【０００３】
この種の電球形蛍光ランプは、屈曲形のバルブを有する発光管、カバー本体の一端に口金を取り付け他端側で発光管を支持するカバー、このカバー内に収容される点灯装置、発光管を被覆してカバーの他端側に取り付けられるグローブ等を具備している（例えば、特許文献１参照）。
【０００４】
そして、近年では、グローブ内の狭隘な空間内に配設される屈曲バルブを螺旋形に形成して放電路長の増大を図ったものが提案されている（例えば、特許文献２，３参照）。
【特許文献１】特開２０００−２１３５１号公報
【特許文献２】特開２００３−２６３９７２号公報
【特許文献３】特開２００３−３１１７９号公報
【発明の開示】
【発明が解決しようとする課題】
【０００５】
しかしながら、このような従来の螺旋形の電球形蛍光ランプでは、発光管を収容するグローブが球状部とこの球状部よりも小径の縮径部とを一体に連成した、いわば電極形状に近似した形状である一方、発光管はこのグローブの縮径部よりも直径が大きい螺旋形部を有するので、この発光管をグローブの縮径開口端部から、その内部へ挿入することができない。
【０００６】
そこで、グローブを、その軸方向（縦方向）に沿って左右に分割し、これらを発光管の左右から突き合せ、発光管を内部に収容した状態で、これら左右のグローブの突合せ部を接着剤により一体に接合する縦割りが考えられる。
【０００７】
しかし、この縦割りでは、電球形蛍光ランプを点灯したときに、その口金側とは反対側の頂端部側から見たときに、線状の継ぎ目が目立つうえに、その影が投影されて外観を損なうという課題がある。
【０００８】
本発明はこのような事情を考慮してなされたもので、グローブの継ぎ目が目立ちにくく外観の美観を向上させることができる、組立て作業も容易な電球形蛍光ランプおよびその製造方法を提供することを目的とする。
【課題を解決するための手段】
【０００９】
請求項１記載の電球形蛍光ランプは、一端側に口金が配設され、他端側に取付端部および係止部を有するカバーと；カバーの取付端部に取り付けられる開口端部側に、その他端の頂端部側の最大径部よりも縮径した縮径部が形成され、少なくとも縮径部側と頂端部側の２部分以上に分割されるように軸直交方向に沿って分割され、この縮径部側のグローブに係合部が形成された樹脂製のグローブと；グローブ内に収容される一対の電極を有するバルブを備え、このバルブは、グローブの最大径部を含む頂端部側に位置してグローブの縮径部よりも径大な膨出部を少なくとも一部に有し、膨出部に連成されグローブの縮径部側に配設された一対の電極封止端部を備えた発光管と；カバー内に収容される点灯装置と；カバー内に収容され、点灯装置と発光管をそれぞれ支持する支持部、グローブ開口端部に嵌合されたときに、その係合部に係合してこの縮径部側のグローブの取付位置を位置決めすると共に、軸方向の変位を規制するグローブ用係合部、カバーの係止部に係止されるカバー用係止部を有するホルダと；を具備していることを特徴とする。
【００１０】
請求項２記載の電球形蛍光ランプは、ホルダは、グローブ用係合部またはカバー用係止部を一対のスリット間に設けられた舌片によって形成していることを特徴とする。
【００１１】
請求項３記載の照明装置は、請求項１または２記載の電球形蛍光ランプと；電球形蛍光ランプが取り付けられる器具本体と；を具備していることを特徴する。
【００１２】
請求項４記載の電球形蛍光ランプの製造方法は、一端側に口金が配設され、他端側に取付端部および係止部を有するカバーと；カバーの取付端部に取り付けられる開口端部側に、その他端の頂端部側の最大径部よりも縮径した縮径部が形成され、少なくとも縮径部側と頂端部側の２部分以上に分割されるように軸直交方向に沿って分割され、この縮径部側のグローブに係合部が形成された樹脂製のグローブと；グローブ内に収容される一対の電極を有するバルブを備え、このバルブは、グローブの最大径部を含む頂端部側に位置してグローブの縮径部よりも径大な膨出部を少なくとも一部に有し、膨出部に連成されグローブの縮径部側に配設された一対の電極封止端部を備えた発光管と；カバー内に収容される点灯装置と；カバー内に収容され、点灯装置と発光管をそれぞれ支持する支持部、グローブ開口端部に嵌合されたときに、その係合部に係合してこの縮径部側のグローブの取付位置を位置決めすると共に、軸方向の変位を規制するグローブ用係合部、カバーの係止部に係止されるカバー用係止部を有するホルダと；を具備している電球形蛍光ランプの製造方法であって、ホルダの発光管支持部に、発光管の一対の電極封止端を取り付けてホルダに発光管を取り付ける第１の工程と；次に、ホルダに、縮径部側のグローブの縮径開口端部を外嵌してホルダのグローブ用係合部に係合させて固定する第２の工程と；この後、グローブの縮径開口端部に、カバーを外嵌し、カバーの係止部にホルダのカバー用係止部を係止させて固定する第３の工程と；次に、縮径部側グローブの縮径開口端部と反対側の頂端部側開口端部に、頂端部側グローブの開口端部を同心状に一体に固着する第４の工程と；ホルダの点灯装置支持部に点灯装置を取り付ける工程と；カバーに口金を取り付ける工程と；を具備していることを特徴とする。
【００１３】
請求項５記載の電球形蛍光ランプの製造方法は、グローブの縮径部側と頂端部側の開口端同士の接合部を、超音波溶着により固着したことを特徴とする。
【発明の効果】
【００１４】
請求項１記載の電球形蛍光ランプによれば、グローブがその軸直角方向に沿う横方向で分割されているので、頂端部側から見たときには、その分割線（継ぎ目）は見えず、その影が投影されにくくなって、点灯中の外観を向上させることができる。
【００１５】
また、ホルダに、グローブの縮径部側開口端部を嵌合させ、このグローブの係合部にグローブ用係合部を係合させることにより、グローブのホルダへの取付位置を位置決めすることができるうえに、ホルダに対して、グローブを軸方向に変位しないように固定することができる。このために、ホルダとグローブの取付位置のばらつきを低減し、組立効率と組立精度を向上させることができる。
【００１６】
さらに、ホルダにカバーを外嵌し、ホルダのカバー用係止部に、カバーの係止部を係止させることにより、ホルダへの取付位置を位置決めすることができるうえに、ホルダにカバーを固定させることができる。
【００１７】
請求項２記載の電球形蛍光ランプによれば、ホルダに、一対のスリット間に形成された舌片により係合部または係止部を設けているので、ホルダに係止部または係合部を容易に形成することができる。
【００１８】
請求項３記載の照明装置によれば、請求項１または２記載の電球形蛍光ランプを具備しているので、これら電球形蛍光ランプの作用効果を有する照明装置を提供することがきる。
【００１９】
請求項４記載の電球形蛍光ランプの製造方法によれば、グローブを、軸直交方向に分割（横割り）することにより、少なくとも縮径部側と頂端部側とに分割している。このために、発光管を取り付けた後のホルダを、単にグローブの縮径部側内へ、その頂端側開口端側から相対的に挿入して行くことにより、ホルダのグローブ用係合部に、グローブ縮径部側の係合部に係合させて位置決めすることができる。このために、ホルダに縮径部側のグローブの開口端を簡単確実に嵌合させて固定させることができる。すなわち、ホルダにグローブ縮径部側を効率的に取り付けることができる。
【００２０】
しかも、このホルダのグローブ用係合部と縮径部側グローブの係合部とが一旦嵌合した状態では、その軸方向の変位が規制されるので、ホルダとグローブの取付位置のばらつきを低減することができる。
【００２１】
請求項５記載の発明によれば、樹脂製のグローブの縮径部側と頂端部側の開口端同士を超音波溶着により固着するので、その固着が容易であるうえに、その継ぎ目の透過度を他の部分とほぼ同程度に保つことができる。
【発明を実施するための最良の形態】
【００２２】
以下、本発明の実施形態を添付図面に基づいて説明する。なお、複数の添付図面中、同一または相当部分には、同一符号を付している。
【００２３】
図１は本発明の第１の実施形態に係る電球形蛍光ランプの一部を縦断面で示す正面図、図２は図１で示すホルダの拡大正面図、図３は同電球形蛍光ランプの製造方法の第１工程の一部を縦断面で示す正面図である。
【００２４】
図１に示すように電球形蛍光ランプ１は、その高さ方向（管軸方向）の一端（図１では下端）に口金２を設けるカバー３、このカバー３の他端（図１では上端）側に支持された発光管４、この発光管４の一端側を支持するカバー３に取り付けられたホルダ５、発光管４を覆うとともに下端側でホルダ５の周囲も覆ってカバー３に取り付けられるグローブ６、口金２およびカバー３の内側に収納された点灯装置７を備えている。そして、定格電力が例えば４０Ｗタイプ、６０Ｗタイプ、１００Ｗタイプの白熱電球などの一般照明用電球に近い寸法と外観に形成されている。この一般照明用電球とは、ＪＩＳ  Ｃ  ７５０１に定義されている。
【００２５】
口金２は、エジソンタイプのＥ２６形などで、ねじ山を備えた筒状のシェル２ａ、このシェル２ａの図中上端側の頂部に絶縁部２ｂを介して設けられたアイレット２ｃを備えている。シェル２ａは、その上端側をカバー３の一端部に被せて接着剤またはかしめなどにより固定されている。
【００２６】
カバー３は、例えばポリブチレンテレフタレート（ＰＢＴ）などの耐熱性合成樹脂により図１中下方に向けて漸次縮径する逆円錐台状部とその下方に垂下する円筒状部を一体に連成したカバー本体３ａを有し、このカバー本体３ａの一端（図１中下端）側には口金２のシェル２ａが取り付けられ、カバー本体３ａの他端側（図１中上端側）には、取付端部である円筒状の開口取付端部３ｂが形成されている。
【００２７】
この取付端部３ｂ内には、カバー本体３ａの円錐台状部と円筒部との連結部内側の環状凸状段部３ｃ上にて、ホルダ５の下部円筒状開口端を載置し固着している。また、この凸状段部３ｃ近傍に、ホルダ５の図中開口下端に突設された断面鉤状のカバー用係合部５ｆに係合して固定すると共に、その軸方向（図１中上下方向）の変位を規制する係合凹部３ｄを形成している。
【００２８】
ホルダ５は、例えばＰＢＴ等の耐熱性合成樹脂により下端開口の有蓋円筒状に形成され、その蓋部をなす円板状の基板部５ａの図中下面周縁部に、一端（図１では下端）側に突出する円筒状の円筒部５ｂを一体に連成することにより、図２中下面開口の円筒状のホルダ本体を形成している。そして、この円筒部５ｂの図１中開口下端を、カバー本体３ａの凸状段部３ｃ上に載置し接着剤等により固着している。
【００２９】
ホルダ５は、基板部５ａ上に、発光管４の一対の電極封止端部４ａ，４ｂを載置させて支持する支持凹部と、これら電極封止端部４ａ，４ｂ同士の間隙内に突出して、その径方向のずれを規制する筒状突部５ｃを突設している。基板部５ａは、その筒状突部５ｃの外側にて、挿通孔５ｄ，５ｅをそれぞれ形成し、これら挿通孔５ｄ，５ｅには、発光管４の一対の電極封止端部４ａ，４ｂからその外方へ突出する短い細管４ｃと長い細管４ｄと図示省略のアウタワイヤをそれぞれ挿通させるようになっている。
【００３０】
そして、図２に示すようにホルダ５は、その円筒部５ｂの外周面に、その水平方向外方へ突出するカバー用係合部５ｆと、その図２中上方において、グローブ用係止部として、水平方向外方へそれぞれ突出する上突部５ｇと下突部５ｈをそれぞれ一体に突設している。
【００３１】
下突部５ｈは、グローブ６の縮径開口端部６ｄを載置させて、ホルダ５とグローブ６の位置決めをすると共に、このグローブ６が重力方向上向きのときにグローブ６の荷重を支持するものである。
【００３２】
上突部５ｇは、その外周面先端を、グローブ６の縮径側開口端部６ｄに形成された係合段部６ｂ２の内周面に当接させてグローブ６がホルダ５から脱落しないようにグローブ６の直径方向に押圧して支持するものである。
【００３３】
下突部５ｈは外向きに突出するフランジ等により環状に突設されてもよく、または、その環状周方向に所要のピッチを置いて配設される突起でもよい。上突部５ｇは弾性を有して揺動可能に形成された舌片の先端に設けられている。この舌片は、支点にあたる部分を除くようにスリット５ｉｇが形成されることでホルダ５の円筒部５ｂと一体的に形成されている。すなわち、図２に示すように、ホルダ５は円筒部５ｂの図中上部側面に、その肉厚方向に貫通する、例えばコ字状のスリット５ｉｇを円筒部５ｂの周方向に所要の間隔を置いて形成する。そして、各コ字状スリット５ｉｇにより囲まれた揺動自在の舌片の図２中下端部に、円筒部５ｂの水平方向外方へ突出する上突部５ｇが形成されている。
【００３４】
そして、ホルダ５は、その円筒部５ｂの図２中開下端部に、所要大の複数のスリット５ｉｆ，５ｉｆを周方向に所要のピッチを置いて切欠形成している。これらスリット５ｉｆ，５ｉｆの間には、舌片が形成されており、この舌片の先端にはカバー用係合部５ｆが形成されている。そして、カバー用係合部５ｆ，５ｆに、その中心方向に縮径するような外力を加えることにより、スリット５ｉｆ，５ｉｆの間に形成された舌片が弾性変形してＵ字状のカバー用係合部５ｆが内側に変位するように弾性変形可能に形成されている。
【００３５】
図１に示すようにグローブ６は、透明または光拡散性を有する合成樹脂により、白熱電球などの一般照明用電球のガラス球の形状に近い滑らかな曲面状に形成されている。すなわち、グローブ６は、ほぼ球状に形成された球状部６ａと、この球状部６ａの図１中下端部に、この球状部６ａの直径よりも小径に漸次縮径されたほぼ円筒状の縮径部６ｂを一体に連成している。球状部６ａはグローブ６の最大径を示す最大径部６ｃを有する。縮径部６ｂは、グローブ６の一端部（図１中下端部）に縮径開口端部６ｄが形成され、この開口端部６ｄの縁部がカバー３の開口取付端部３ｂの内側に嵌合されて例えばシリコーン樹脂やエポキシ樹脂などの接着剤により接着固定されている。
【００３６】
そして、グローブ６は、発光管４および電球形蛍光ランプ１の中心軸Ｏと直交する方向、すなわち、横方向（水平方向）に２分割している。つまり、発光管４の最大外径部４ｋの水平方向中心線Ｏａを水平分割線として図１中、上下方向に２分割して、頂端部６ａ側のトップグローブ６Ｘ１と、縮径部６ｂ側のアンダグローブ６Ｘ２とを形成している。
【００３７】
すなわち、このグローブ６が、例えば非分割の一体から形成されている場合には、発光管４の最大外径部４ｋの外径の方がグローブ６の縮径開口端部６ｄよりも大きいので、この開口端部６ｄからグローブ６内に発光管４を挿入できない。
【００３８】
しかし、このグローブ６は、その水平分割線Ｏａにより、アンダグローブ６Ｘ１とトップグローブ６Ｘ２とに上下に横分割されているので、発光管４をホルダ５上に立設した後、この発光管４の外側を、その上下両方からアンダグローブ６Ｘ２とトップグローブ６Ｘ１によりそれぞれ被せ、これら両グローブ６Ｘ１，６Ｘ２の開口端同士の突合せ面を超音波溶着により固着して一体に形成することができる。
【００３９】
すなわち、水平分割線Ｏａが発光管４の最大外径部４ｋの水平方向中心線Ｏａと一致しているので、これら上下一対のアンダグローブ６Ｘ２，トップグローブ６Ｘ１により発光管４の全体を被覆することができる。
【００４０】
発光管４は、その図１中上部の膨出部としての螺旋形部４ｅと、下部の直状部４ｆとを有し、これらを一体に連結している。
【００４１】
螺旋形部４ｅは、外径が例えば１０ｍｍの直状円管状のガラスバルブ４ｇをほぼ等分の２つ折りに折曲し、その等分位置の折返し部４ｈを頂端として図示しない金型に巻き付けて２重螺旋形にモールド成形することにより形成される。
【００４２】
ガラスバルブ４ｇは、その内面に、希土類等の蛍光体膜をほぼ全長に亘って形成し、軸方向両端部には、一対の電極４ｉ，４ｊをそれぞれ封装して電極封止端部４ａ，４ｂをそれぞれ形成している。
【００４３】
すなわち、図１に示すように螺旋形部４ｅは、ガラスバルブ４ｇの一方の電極封止端部、例えば４ａから旋回軸Ｏ回りに旋回しながら図１中上方の頂端部である折返し部４ｈに至る第１の旋回部と、この折返し部４ｈの他端から旋回軸Ｏ回りに旋回しながら他方の電極封止端部、例えば４ｂに至る第２の旋回部とを有する２重螺旋形状であり、所要数、例えばほぼ３周旋回（ターン数）している。したがって、螺旋形部４ｅは螺旋ピッチが密の密ピッチ部に形成され、放電路長が長い長放電路部に形成されている。なお、螺旋形部４ｅの頂端部である折返し部４ｈは、そのバルブ直径を第１，第２の旋回部の直径よりも大径の膨出部に形成し、この膨出部に最冷部を形成するように形成してもよい。
【００４４】
一対の電極４ｉ，４ｊは、例えばタングステン製のコイル電極が使用されており、例えばビーズガラスにより仮止めされた状態でガラスバルブ４ｇの両端部に封着されている。
【００４５】
ガラスバルブ４ｇ内には、アルゴンやクリプトンガス等の放電媒体が封入されており、一対の電極封止端部４ａ，４ｂの外面には、その内部に連通する短い細管４ｃと長い細管４ｄが突設されている。細管４ｄ内には水銀またはアマルガムが収容されている。
【００４６】
膨出部としての螺旋形部４ｅは、グローブ６の最大径部６ｃを有する頂端６ｄ側の球状部６ａ内に収容され、その螺旋径を、グローブ６の球状部６ａの内面形状に対応して頂端の折返し部４ｈから最大径部６ｃに向けて漸次拡径して行き、グローブ６の最大径部６ｃで螺旋径を最大とし、さらに、グローブ６の球状部６ａ下半部の縮径に対応して螺旋径を漸次縮径して行って直状部４ｆの図１中上端部に一体に連成されている。
【００４７】
直状部４ｆは螺旋形部４ｅの一対の螺旋終端部において、一対の電極封止端部４ａ，４ｂ側のガラスバルブ４ｇの図１中下部を、グローブ６の縮径部６ｂの軸方向下方に向けてほぼ直角に折曲し、直状の一対の電極封止端部４ａ，４ｂをほぼ平行に並設してホルダ５の支持用凹部内に挿入している。直状部４ｆのバルブ外径Ｃは７〜９ｍｍに形成され、螺旋形部４ｅのバルブ外径Ｄ（例えば８〜１０ｍｍ）よりも小径に形成されている。なお、直状部４ｆは、ガラスバルブ４ｇを螺旋形部４ｅの旋回方向に合わせるように若干湾曲させて螺旋状に形成してもよい。
【００４８】
点灯装置７は、点灯回路パターンを形成した縦基板７ａを、ホルダ５内面の図示しない一対の縦溝内に嵌入して固定している。すなわち、ホルダ５は、その円筒部５ｂの内面に、その直径方向で対向する一対の縦溝（図示せず）をホルダ５の軸方向に形成し、この縦溝内に縦基板７ａの幅方向両側縁部を嵌入させて固定している。縦基板７ａは片面または両面基板に構成され、その実装面には、電解コンデンサ等のリード部品やトランジスタ等のチップ部品等の点灯回路部品である複数の電子部品７ｂ，７ｂ，…が実装されている。
【００４９】
このように構成された電球形蛍光ランプ１の具体的構成の一例は、次の通りである。すなわち、発光管４の発光管最大外径（螺旋外径）が５４ｍｍ、電球形蛍光ランプ１の全高ｈ１が１０９ｍｍ、発光管４の高さｈ２が６４±１ｍｍ、最大径部４の水平方向中心線Ｏａまでの高さｈ３が３８ｍｍ、発光管４の電極封止端からグローブ６の最大径部６ｃの直径ｒ１が６０ｍｍ、カバー３の図１中、上端部外径ｒ２が３２ｍｍである。一対の電極４ｉ，４ｊ同士間の放電路長は、３６０〜６１０ｍｍであり、ガラスバルブ４ｇのバルブ径に応じて相違する。例えばガラスバルブ４ｇの径（バルブ径）が８ｍｍのとき、放電路長が４７６ｍｍ、バルブ径が９ｍｍのとき、放電路長が３７４ｍｍである。また、口金２の外径が２６ｍｍであり、発光管最大外径（３０．５ｍｍ）の約１．１７倍である。
【００５０】
したがって、この電球形蛍光ランプ１によれば、一般照明用電球近似の外観を得ることができる。
【００５１】
また、発光管４の螺旋形部４ｅは、グローブ６の最大径部６ｃを含む比較的大容量の球状部６ａ内に収容されているので、バルブ径と螺旋径を共に大径化することができる。このために、螺旋形部４ｅの放電路長の延伸を図ることができるので、螺旋形部４ｅにおける光束の増大と発光効率の向上を共に図ることができる。
【００５２】
また、グローブ６の狭隘な縮径部６ｂ側内に収容された発光管４の直状部４ｆ，４ｆは、そのバルブ外径Ｃが螺旋形部４ｅのバルブ外径Ｄよりも細いので、グローブ縮径部６ｂ内での直状部４ｆ，４ｆ周りの間隙を増大させることができる。このために、螺旋形部４ｅと直状部４ｆ，４ｆからの発光が直状部４ｆ，４ｆ自体により遮光される遮光量を減少させることができる。これにより、発光効率を向上させることができる。
【００５３】
さらに、螺旋形部４ｅでは、バルブ径と螺旋径を共に大径化できるので、金型を使用したモールド成形によりガラスバルブ４ｇを螺旋形に成形する際の容易性を向上させることができ、さらに、その螺旋成形時のクラックや歪みを低減することができる。その結果、螺旋形部４ｅを有するガラスバルブ４ｇの量産性と歩留りを共に向上させることができる。
【００５４】
また、発光管４としての放電路長の多くを分担する螺旋形部４ｅのバルブ径が大径であるので、発光管４の始動電圧とランプ電圧を低下させることができる。このために、点灯装置７の出力電圧を高くする必要がなくなり、また使用部品の耐圧性を低くすることができるので、コスト低減を図ることができ、さらに、点灯装置７の大形化を防止または抑制することができる。
【００５５】
さらに、発光管４の螺旋形部４ｅはガラスバルブ４ｇを螺旋形に形成しているので、この螺旋形部４ｅの内側で発光した光は、その螺旋形のガラスバルブ４ｇ自体の内面に遮光され易く、この螺旋形部４ｅの外側に放射される光束は低下するが、直状部４ｆはグローブ６の縮径部６ｂ内で、その軸方向へほぼ平行に延在し、バルブ外径Ｃも細いので、直状部４ｆ，４ｆにより遮光される部分が少ない。このために、螺旋形部４ｅの内側および直状部４ｆの内側で発光した光がグローブ６の縮径部側（図１中下部側）から外部へ放射される光束を増大させることができる。
【００５６】
そして、電球形蛍光ランプ１は、図２に示すようにホルダ５の図１中の下部開口端部に複数のスリット５ｉｇ，５ｉｇ，５ｉｆ，５ｉｆにより舌片を形成し、この舌片にグローブ用係合部５ｇ、カバー用係止部５ｆを設けたので、簡単な構成によりホルダ５の係合部、係止部に弾性を付与することができる。
【００５７】
また、グローブ６の縮径部６ｂ側の開口端６ｄをホルダ５の下突部５ｈで支持すると共に、ホルダ５の上突部５ｇによりグローブ６の縮径部６ｂの係合段部６ｂ２の内面を直径方向で弾性的に支持するので、弾性を有する樹脂製のグローブ縮径部６ｂ側をホルダ５に弾性的に嵌合させる嵌合強度を増強させることができると共に、これらホルダ５とグローブ縮径部６ｂが弾性的に嵌合するので、その嵌合の際に、少なくとも一方が破損するのを未然に防止できる。このために、歩留りと組立効率を向上させることができる。
【００５８】
さらに、ホルダ５には、カバー３の係合段部３ｃ近傍にて、カバーの係合孔３ｄと係合する鉤爪状のカバー用係合部５ｆを形成しているので、ホルダ５とカバー３の組付け強度を向上させることができる。
【００５９】
さらに、これらホルダ５のカバー用係合部５ｆは鉤状の返しを具備しているので、一旦、このカバー用係合部５ｆに係合孔３ｄが係合されると、その軸方向（図１では上下方向）の変位を規制することができる。
【００６０】
これにより、ホルダ５とカバー３の取付位置のばらつきを低減して取付位置精度を向上させることができる。なお、発光管４は、グローブ６の縮径部よりも径大な最大径部を有する膨出部を備えていればよく、必ずしもバルブが螺旋形である必要はない。例えば、Ｕ字状バルブの直管部の中間が外側に湾曲するように形成されたものをつなぎ合せるようにした屈曲形バルブであってもよい。
【００６１】
次に、このように構成された電球形蛍光ランプ１の組立方法を図３〜図６に基づいて説明する。
【００６２】
ｉ）第１の工程
まず、図３に示すようにホルダ５上に発光管４を取り付ける。すなわち、ホルダ５の図１中上端の基板５上の支持用凹部内に、発光管４の一対の電極封止端部４ａ，４ｂを載置し、細管４ｃ，４ｄを挿通孔５ｃ，５ｄ内に挿通させ、シリコーン樹脂等により固着する。この第１の工程で、ホルダ５の一対の取付縦溝内に、回路部品７ｂを実装した点灯装置７の縦基板７ａを挿入し、接着剤等により固着してもよい。
【００６３】
ｉｉ）第２の工程
次に、図４に示すようにホルダ５の外面に、アンダグローブ６ｂの縮径開口端部６ｄを外嵌して固定する。すなわち、ホルダ５の下方から、アンダグローブ６ｂを、その最大径部６ｃ側の大きい開口端を図４中上方に向けた状態で、ホルダ５をアンダグローブ６ｂ内に収容するように図中白矢印に示すように漸次上昇させて行く。
【００６４】
これにより、図４に示すようにアンダグローブ６ｂ側の係合段部６ｂ２がホルダ５のカバー用係合部５ｆ、下突部５ｈを順次通過して上突部５ｇまで上昇すると、この上突部５ｇの先端面がアンダグローブ６の係合段部６ｂ２の内面に弾性的に当接し、嵌合される。
【００６５】
すなわち、アンダグローブ６の係合部６ｂ２の内径は、上突部５ｇの外径よりも若干小径に形成されているので、上突部５ｇは係合段部６ｂ２と係合したときに、若干縮径する方向に弾性的に変位する。
【００６６】
このために、ホルダ５の上突部５ｇはその全体が複数のスリット５ｉｇ，５ｉｇの舌片により弾性変形すると共に、係合段部６ｂ２もアンダグローブ６ｂが樹脂製であるので、外向きに変位して係合段部６ｂ２を内側から押圧するように弾性付勢する。
【００６７】
これにより、アンダグローブ６ｂはホルダ５に弾性的に嵌合されて固定される。
【００６８】
さらに、このようにアンダグローブ６ｂの係合段部６ｂ２が上突部５ｇにより弾性的に嵌合されたときに、アンダグローブ６ｂの縮径開口端部６ｄの近傍の内周面がホルダ５の下突部５ｈの外端面を摺動しながら乗り越えて、その上方側へ移動し、アンダグローブ６ｂの縮径開口端６ｄがホルダ５の下突部５ｈの図中上面上に当接する。
【００６９】
このために、ホルダ５の下突部５ｈにより、アンダグローブ６ｂを支持することができる。このように、ホルダ５の上，下突部５ｇ，５ｈの上下２箇所によりアンダグローブ６ｂをホルダ５により支持するので、アンダグローブ６ｂのホルダ５への取付強度を増強させることができる。
【００７０】
ｉｉｉ）第３の工程
次に、図５に示すようにアンダグローブ６ｂの縮径開口端部６ｄの外面に、カバー３を外嵌固定する。すなわち、ホルダ５に外嵌固定されたアンダグローブ６ｂの縮径開口端部６ｄの外面に、カバー３の開口取付端部３ｂを外嵌するために挿入して行くと、カバー３の凸状段部３ｃの内面がホルダ５のカバー用係合部５ｆの図５中下端に当接して位置決めされると共に、カバー３の係合孔３ｄ内に、鉤状のカバー用係合部５ｆが嵌合してホルダ５にカバー３が固定される。
【００７１】
このカバー用係合部５ｆは、その縦断面が鉤状に形成され、返しを具備しているので、これがカバー３の係合孔３ｄ内に嵌合した場合には、カバー３の軸方向（図５では上下方向）の変位が規制される。このために、カバー３のホルダ５への取付位置のばらつきを低減することができ、組立て精度と組立効率を向上させることができる。
【００７２】
ｉｖ）第４の工程
次に、図６に示すようにアンダグローブ６Ｘ２のトップグローブ６Ｘ１側開口端６Ｘ２ａに、トップグローブ６Ｘ１のアンダグローブ６Ｘ１側の開口端６Ｘ１ａを同心状に突き合せ、この突合せ部の全周を超音波溶着により固着する。
【００７３】
トップグローブ６Ｘ１とアンダグローブ６Ｘ２の開口端６Ｘ１ａ，６Ｘ２ａ同士の接合部を超音波溶着により固着するので、その固着を簡単、迅速かつほぼ均質に行なうことができるうえに、その継ぎ目の透明度を他の部分とほぼ同程度に保持することができる。このために、その継ぎ目を直接目視する場合にも、目立たなくすることができる。
【００７４】
ｖ）第５の工程
次に、カバー３の縮径開口端部３ｅに口金２を固着する。すなわち、カバー３の縮径開口端部３ｅの外面に、口金２のシェル２ａの図１中上部開口端部に被せて接着剤またはかしめなどにより固定する。
【００７５】
なお、口金２は、予めカバー３に固着しておいてもよい。また、上記第３の工程と第４の工程の組立順を逆にしてもよい。さらに、点灯装置７は、第１〜第４の工程のいずれにおいてもホルダ５に組み付けてもよい。
【００７６】
図７は本発明の第３の実施形態に係る照明装置１１の概略構成図である。この照明装置１１は、例えばダウンライト等の照明装置であり、照明器具本体１２を有する。この照明器具本体１２内にはソケット１３および反射体１４が取り付けられ、ソケット１３には上記電球形蛍光ランプ１の口金２がねじ込みにより装着される。
【００７７】
この照明装置１１によれば、電球形蛍光ランプ１の高光束、高発光効率の螺旋形部４ｅが図４中下方に向いているので、直下照度を向上させることができる。
【００７８】
また、電球形蛍光ランプ１の口金２側へ放射される光束を増大させる直状部４ｆが照明器具本体１２の反射体１４側に位置して対向しているので、この反射体１４により反射される反射光を増加させることができる。
【００７９】
そして、グローブ６の分割が横割りであるので、この電球形蛍光ランプ１がダウンライトとして使用される場合には、図中下方に向くトップグローブ６Ｘ１の頂端面には継ぎ目が無いので、点灯時に分割線が目立つのを低減することができ、さらに、継ぎ目が被照明面に投影されるのを防止することができる。
【００８０】
図８は図２で示すホルダ５の変形例に係る第２ホルダ５Ａの拡大正面図である。この第２ホルダ５Ａは、図２で示すホルダ５の上突部５ｇと、下突部５ｈの各々の設置位置を相互に上下入れ替えることにより第２上突部５ｈＡと第２下突部５ｇＡにそれぞれ構成した点に特徴があり、これ以外の構成はホルダ５と同様である。
【００８１】
図２に示すホルダ５の上突部５ｇは弾性を有して揺動可能に形成された舌片の先端に設けられているので、グローブ６の縮径部６ｂ（アンダグローブ６Ｘ２）側を発光管４側から挿入する場合に適しているが、図３〜図６によって説明する組立工程の場合には、縮径部６ｂ（アンダグローブ６Ｘ２）側が口金２側から挿入されているため、下突部５ｈを揺動可能に形成して、グローブ６の開口端６ｄを通過させる必要がある。
【００８２】
そこで、図８で示すように第２上突部５ｈＡは、図２で示す上突部５ｇとほぼ同様の位置である円筒部５ｂの上部外周面において、図２で示す下突部５ｈと同様に水平方向外方へ若干突出するように突設されたリブから構成され、第２ホルダ５Ａの円筒部５ｂの外周面に、グローブ６の縮径開口端部６ｄが嵌合されたときに、この縮径開口端部６ｄの係合段部６ｂ２の内周面に、第２上突部５ｈＡの外周面が当接するように構成されている。これら各第２上突部５ｈはホルダ５の本体である樹脂製の円筒部５ｂと一体に形成されているので、樹脂としての若干の弾性を有するに過ぎず、殆ど弾性を有さない。
【００８３】
なお、これら各第２上突部５ｈＡは、図２で示す各下突部５ｈと同様に水平方向外方に突出する円環状の外向きフランジ等により形成されてもよく、その環状方向に所要のピッチを置いて配設される突起でもよい。
【００８４】
一方、図８で示すように各第２下突部５ｇＡは、図２で示す上突部５ｇと同様に弾性を有するリブにより構成され、図２で示す下突部５ｈとほぼ同様の位置である円筒部５ｂの下部外周面に形成されている。
【００８５】
すなわち、各第２下突部５ｇＡは、第２ホルダ５Ａの円筒部５ｂの下部外周面に、その肉厚方向に貫通する、例えばコ字状のスリット５ｉｇを、そのコ字状開口を図８中上方に向けて形成し、これら複数のスリット５ｉｇを円筒部５ｂの周方向に所要の間隔を置いて形成する。そして、各コ字状スリット５ｉｇにより囲まれた各舌片の図８中下端部に、円筒部５ｂの水平方向外方へ突出するように形成し、これら各舌片の図８中上部を支点として水平方向内外へ弾性的に揺動可能に構成され、グローブ６の縮径開口端部６ｄの図８中下端面をその下方から支持するように構成されている。
【００８６】
したがって、この第２ホルダ５Ａによれば、この第２ホルダ５Ａの外周面にグローブ６の縮径部６ｂを外嵌するために、第２ホルダ５Ａの外周面に、その図８中下方からグローブ６の縮径部６ｂの図中上部開口端を漸次挿入して行くと、まず、グローブ６の係合段部６ｂ２の内周面が第２下突部５ｇＡに到達し、この第２下突部５ｇＡの外周面を摺動しつつ、これら第２下突部５ｇＡを弾性的に縮径させて乗り越えて行く。
【００８７】
この後、グローブ６の係合段部６ｂ２の内周面が第２上突部５ｈＡに到達すると、この第２上突部５ｈＡの外周面がこの係合段部６ｂ２の内周面に当接して係合される。このとき、グローブ６の縮径開口端部６ｄの図８中下端面は各第２下突部５ｇＡにより図中下方から支持される。
【００８８】
したがって、この第２ホルダ５Ａによれば、グローブ６の縮径部６ｂを、その第２上突部５ｈＡと第２下突部５ｇＡとにより上下２段で支持するので、その支持力を増大させることができる。
【００８９】
このために、第２ホルダ５Ａとグローブ６の結合力を増強することができるので、グローブ６が樹脂製であるために、ガラス製グローブの場合よりもシリコーン接着剤による第２ホルダ５Ａとの接着力が弱い場合でも、この第２ホルダ５Ａとグローブ６との結合力を向上させることができる。
【００９０】
しかも、図８中、グローブ６が第２ホルダ５Ａよりも、その重力方向下方に位置する状態で使用する場合でも、弾性力が殆ど無い各第２上突部５ｈＡにより、グローブ６の縮径開口端部６ｄの縮径段部よりも下側を支持しているので、グローブ６が第２ホルダ５Ａから脱落することを防止または低減することができる。
【００９１】
なお、このように構成された第２ホルダ５Ａを図７で示す照明装置１１の電球形蛍光ランプ１のホルダ５として組み付けてもよい。
【図面の簡単な説明】
【００９２】
【図１】本発明の第１の実施形態に係る電球形蛍光ランプの一部を縦断面で示す正面図。
【図２】図１で示すホルダの拡大正面図。
【図３】本発明の第２の実施形態に係る電球形蛍光ランプの製造方法の第１の工程を一部縦断面で示す正面図。
【図４】本発明の第２の実施形態に係る電球形蛍光ランプの製造方法の第２の工程を一部縦断面で示す正面図。
【図５】本発明の第２の実施形態に係る電球形蛍光ランプの製造方法の第３の工程を一部縦断面で示す正面図。
【図６】本発明の第２の実施形態に係る電球形蛍光ランプの製造方法の第４の工程を一部縦断面で示す正面図。
【図７】本発明の第３の実施形態に係る照明装置の正面図。
【図８】図２で示すホルダの変形例の拡大正面図。
【符号の説明】
【００９３】
１…電球形蛍光ランプ、２…口金、３…カバー、３ａ…カバー本体、３ｂ…カバーの開口取付端部、３ｃ…カバーの凸状段部、４…発光管、４ａ，４ｂ…一対の電極封止端部、４ｈ…折返し部、４ｅ…発光管の螺旋形部、４ｆ…発光管の直状部、４ｇ…ガラスバルブ、４ｋ…発光管の最大外径部、５…ホルダ、５Ａ…第２ホルダ、５ａ…ホルダの基板部、５ｃ…ホルダの筒状支持部、５ｄ，５ｅ…ホルダの取付孔、５ｆ…ホルダのカバー用係合部、５ｇ…上突部、５ｇＡ…第２下突部、５ｈ…下突部、５ｈＡ…第２上突部、５ｉ…スリット、６…グローブ、６ａ…グローブの球状部、６ｂ…グローブの縮径部、６ｂ１…アンダグローブの縮径開口端、６ｂ２…アンダグローブの係合段部、６Ｘ１…トップグローブの左半部、６Ｘ２…アンダグローブ、７…点灯装置、７ａ…点灯装置の縦基板、７ｂ…点灯装置の電子部品、１１，１５…照明装置、１２…照明器具本体。
【図１】
2008210798.tif 000003
【図２】
2008210798.tif 000004
【図３】
2008210798.tif 000005
【図４】
2008210798.tif 000006
【図５】
2008210798.tif 000007
【図６】
2008210798.tif 000008
【図７】
2008210798.tif 000009
【図８】
2008210798.tif 000010
【手続補正書】
【提出日】平成20年2月12日(2008.2.12)
【手続補正２】
【補正対象書類名】特許請求の範囲
【補正対象項目名】請求項５
【補正方法】変更
【補正の内容】
【請求項５】
グローブの縮径部側と頂端部側の開口端同士の接合部を、超音波溶着により固着したことを特徴とする請求項４記載の電球形蛍光ランプの製造方法。